(57)【要約】【課題】空気清浄効果が大で、しかも使用者に不快感を与えない電気掃除機を提供する。【解決手段】電動送風機２と、高電圧が印加される針状電極２５、アース電極２６、針状電極２５を冷却するペルチェ素子２３、放熱フィン２４からなりナノイーイオンを発生させるナノイーイオン発生手段３３と、発生したナノイーイオンをナノイーイオン放出口３７から空間に放出する送風ファン３５と、ナノイーイオン発生手段３３を制御するナノイー制御手段２２と、ナノイーイオン放出口３７の状態を検出するナノイーイオン放出口状態検出手段４２とを備え、ナノイーイオン放出口３７の状態に応じてナノイーイオンの放出を抑制または停止するもので、微粒子水の質量を付加して塵埃の床面への落下を早めて塵埃の捕集率を上げて空気清浄効果を高め、かつ限られた空間のオゾン濃度の上昇や、人が直接拡散前のオゾンを吸い込むことを抑制し、使用者に不快感を与えない。【選択図】図３
2011167278.tif 000002
【特許請求の範囲】
【請求項１】
吸引風を発生する電動送風機と、高電圧が印加される電極、イオンが放出される側の前記電極を冷却してそれに結露させるための電極冷却手段、前記冷却の相殺の為に発生する熱を放熱する放熱フィンからなりナノイーイオンを発生させるナノイーイオン発生手段と、発生したナノイーイオンを空間に放出する送風ファンと、前記ナノイーイオンが放出されるナノイーイオン放出口と、前記ナノイーイオン発生手段を制御するナノイー制御手段と、前記ナノイーイオン放出口の状態を検出するナノイーイオン放出口状態検出手段とを備え、前記ナノイーイオン放出口の状態に応じてナノイーイオンの放出を抑制または停止することを特徴とする電気掃除機。
【請求項２】
ナノイーイオン放出口と障害物との距離を検出する距離検出手段を備え、予め設定された距離以内に前記障害物を検出したときに、ナノイーイオンの放出を抑制または停止することを特徴とする請求項１に記載の電気掃除機。
【請求項３】
ナノイーイオン放出口の向きを検出する方向検出手段を備え、前記ナノイーイオン放出口が床面に向いているときに、ナノイーイオンの放出を抑制または停止することを特徴とする請求項１に記載の電気掃除機。
【請求項４】
ナノイーイオン放出口の風量を検出する風量検出手段を備え、予め設定された風量以下の時には、ナノイーイオンの放出を抑制または停止することを特徴とする請求項１に記載の電気掃除機。
【請求項５】
ナノイーイオン放出口近傍に人体を検知する人体検出手段を備え、予め設定された範囲に人がいる時には、ナノイーイオンの放出を抑制または停止することを特徴とする請求項１に記載の電気掃除機。
【請求項６】
ナノイーイオンの放出を抑制または停止していることを報知する報知手段を備えたことを特徴とする請求項１〜５のいずれか１項に記載の電気掃除機。
【発明の詳細な説明】
【技術分野】
【０００１】
本発明は、電気掃除機に関するもので、特に、微粒子発生手段を備え、空気清浄効果の高い電気掃除機に関するものである。
【背景技術】
【０００２】
従来のこの種の微粒子発生手段を備えた電気掃除機に関しては、排気経路にイオン発生器を配置させたものが提案されている（例えば、特許文献１参照）。また、マイナスイオンミストは、被付着物に付着すると、該被付着物の脱臭、除菌を行う脱臭、除菌作用を果たすことが知られている（例えば、特許文献２参照）。
【先行技術文献】
【特許文献】
【０００３】
【特許文献１】特開２００８−２１２３８９号公報
【特許文献２】特開２００６−６８７１１号公報
【発明の概要】
【発明が解決しようとする課題】
【０００４】
しかしながら、上記特許文献１に記載されたような従来の電気掃除機は、電動送風機の排気と共に部屋中にイオンを放出させる高電圧の放電電極で構成したイオン発生器と、塵埃を捕集する不織布を用いた集塵袋を内蔵する電気掃除機本体と、前記電動送風機に連通し塵埃を吸引する吸込み具を備え、前記電動送風機の排気で、イオンを部屋中に放出し、室内で対流させて、浮遊する塵埃を帯電させ、前記不織布を用いた集塵袋で、前記イオンで帯電された塵埃を捕集させる構成であり、イオンの帯電した室内に浮遊する微細塵埃が床面に落下するまでには時間を必要とするため、空気清浄効果が不十分な電気掃除機となっていた。
【０００５】
本発明は上記従来の課題を解決するもので、空気清浄効果が大で、しかも限られた空間のオゾン濃度上昇の抑制と人が直接拡散前のオゾンを吸い込むことを抑制し、使用者に不快感を与えることのない電気掃除機を提供することを目的とする。
【課題を解決するための手段】
【０００６】
前記従来の課題を解決するために、本発明の電気掃除機は、吸引風を発生する電動送風機と、高電圧が印加される電極、イオンが放出される側の前記電極を冷却してそれに結露させるための電極冷却手段、前記冷却の相殺の為に発生する熱を放熱する放熱フィンからなりナノイーイオンを発生させるナノイーイオン発生手段と、発生したナノイーイオンを空間に放出する送風ファンと、前記ナノイーイオンが放出されるナノイーイオン放出口と、前記ナノイーイオン発生手段を制御するナノイー制御手段と、前記ナノイーイオン放出口の状態を検出するナノイーイオン放出口状態検出手段とを備え、前記ナノイーイオン放出口の状態に応じてナノイーイオンの放出を抑制または停止するもので、浮遊塵埃に微粒子水の質量を付加して浮遊塵埃の床面への落下を早め、掃除中に吸込具から吸い取ることができる塵埃の捕集率を向上させるナノイーイオンを安定して排出し、ナノイーイオンの付着した塵埃の脱臭、除菌に効果を果たし、空気清浄効果を良好にし、かつ限られた空間のオゾン濃度上昇の抑制と人が直接拡散前のオゾンを吸い込むことを抑制し、使用者に不快感を与えることが無い。
【発明の効果】
【０００７】
本発明の電気掃除機は、微粒子水の質量を室内の浮遊塵埃に付加して床面への落下を早
くし、掃除中の吸込具から吸い取る捕集率を向上させ、ナノイーイオンの付着した塵埃の脱臭、除菌に効果を果たし、空気清浄効果を良好にするとともに、限られた空間のオゾン濃度上昇の抑制と人が直接拡散前のオゾンを吸い込むことを抑制し、使用者に不快感を与えることが無い。
【図面の簡単な説明】
【０００８】
【図１】本発明の実施の形態１における電気掃除機の全体斜視図
【図２】同電気掃除機の断面図
【図３】同電気掃除機の制御ブロック図
【図４】同電気掃除機のナノイーイオン発生装置のブロック図
【図５】同電気掃除機の空気清浄効果を示すグラフ
【発明を実施するための形態】
【０００９】
第１の発明は、吸引風を発生する電動送風機と、高電圧が印加される電極、イオンが放出される側の前記電極を冷却してそれに結露させるための電極冷却手段、前記冷却の相殺の為に発生する熱を放熱する放熱フィンからなりナノイーイオンを発生させるナノイーイオン発生手段と、発生したナノイーイオンを空間に放出する送風ファンと、前記ナノイーイオンが放出されるナノイーイオン放出口と、前記ナノイーイオン発生手段を制御するナノイー制御手段と、前記ナノイーイオン放出口の状態を検出するナノイーイオン放出口状態検出手段とを備え、前記ナノイーイオン放出口の状態に応じてナノイーイオンの放出を抑制または停止するもので、浮遊塵埃に微粒子水の質量を付加して浮遊塵埃の床面への落下を早め、掃除中に吸込具から吸い取ることができる塵埃の捕集率を向上させるナノイーイオンを安定して排出し、ナノイーイオンの付着した塵埃の脱臭、除菌に効果を果たし、空気清浄効果を良好にし、かつ限られた空間のオゾン濃度上昇の抑制と人が直接拡散前のオゾンを吸い込むことを抑制し、使用者に不快感を与えることが無い。
【００１０】
第２の発明は、特に、第１の発明のナノイーイオン放出口と障害物との距離を検出する距離検出手段を備え、予め設定された距離以内に前記障害物を検出したときに、ナノイーイオンの放出を抑制または停止するもので、障害物等で拡散できない限られた空間でのオゾン濃度上昇の抑制と、放出口直近での人が直接拡散前のオゾンを吸い込むことを抑制し、使用者に不快感を与えなくすることができる。
【００１１】
第３の発明は、特に、第１の発明のナノイーイオン放出口の向きを検出する方向検出手段を備え、前記ナノイーイオン放出口が床面に向いているときに、ナノイーイオンの放出を抑制または停止するもので、ナノイーイオン放出口近傍に床面があって床面によって拡散できない限られた空間のオゾン濃度の上昇を抑制し、使用者に不快感を与えなくすることができる。
【００１２】
第４の発明は、特に、第１の発明のナノイーイオン放出口の風量を検出する風量検出手段を備え、予め設定された風量以下の時には、ナノイーイオンの放出を抑制または停止するもので、塵埃で放出口が塞がれたり、誤って放出口が塞がれた場合でも、本体内のオゾン濃度上昇の抑制ができ、樹脂の劣化を抑制することができる。
【００１３】
第５の発明は、特に、第１の発明のナノイーイオン放出口近傍に人体を検知する人体検出手段を備え、予め設定された範囲に人がいる時には、ナノイーイオンの放出を抑制または停止するもので、放出口直近での人が直接拡散前のオゾンを吸い込むことを抑制し、使用者に不快感を与えなくすることができる。
【００１４】
第６の発明は、特に、第１〜５のいずれか一つの発明のナノイーイオンの放出を抑制または停止していることを報知する報知手段を備えたもので、異常状態であることを使用者
に報知して、異常状態の解除を行うことにより、ナノイーイオンが安定して、放出することができる。
【００１５】
以下、本発明の実施の形態について、図面を参照しながら説明する。なお、この実施の形態によって本発明が限定されるものではない。
【００１６】
（実施の形態１）
以下、本発明の第１の実施の形態における電気掃除機について、図１〜５を参照しながら説明する。図１は、本実施の形態における電気掃除機の全体斜視図、図２は、同電気掃除機の断面図、図３は、同電気掃除機の制御ブロック図、図４は、同電気掃除機のナノイーイオン発生装置のブロック図である。
【００１７】
図１〜４において、本実施の形態における電気掃除機の電気掃除機本体１は、後部に吸引風を発生する電動送風機２を内蔵し、その前部に、着脱自在で塵埃を捕集するエレクトレット加工された集塵袋３を配置している。集塵袋３の材質は、ポリプロピレン等の熱可塑性繊維で構成されており、空気等の摩擦で帯電することになる。
【００１８】
電気掃除機本体１の後方下部の両側に、１対の走行用の車輪４が回転自在に取着され、底面前部には、同じく走行用のキャスター５が取着されている。８は、一端が、電気掃除機本体１の前部に着脱自在に接続されるホースで、このホース８の手元には、操作手段６があり、各種の動作モード（例えば、「強」・「中」・「弱」・「切」等の吸込み力）を選択できるようになっている。
【００１９】
ホース８の電気掃除機本体１との接続部には、塵埃検出手段７が設置されている。塵埃検出手段７は、発光素子７ａと受光素子７ｂを互いに対向させて配置して構成され、発光素子７ａと受光素子７ｂの間を塵埃が通過すると、一時的に受光素子７ｂによる受光が遮られて、パルス波形が発生する。
【００２０】
そして、ホース８の他端は、伸縮自在或いは継ぎ自在の延長管９に接続される。延長管９は、掃除面に接して被掃除面の塵埃等を吸引するための吸込み具１０と接続される。吸込み具１０は、被掃除面の塵埃を掻き上げる回転ブラシ１１と、ベルト１２を介して回転ブラシ１１を回転駆動する電動機１３を内蔵している。
【００２１】
電動送風機２を収納する収納空間２０とは樹脂等で分離された上方空間部２１に、ナノメータサイズの微粒子水で包まれたマイナスイオンを発生させる為のナノイー制御手段２２と、電極冷却手段としてのペルチェ素子２３、放熱フィン２４、後述の電極などからなるナノイーイオン発生手段３３と、マイナスイオンミストを部屋中に放出し、拡散させるための気流を起こす送風ファン３５が収納され、各々が保持固定されている。
【００２２】
ナノイーイオン発生手段３３は、図４に示すように、針状電極２５と、アース電極２６が保持固定されており、針状電極２５は、電気的には絶縁されているが、温度伝達的にペルチェ素子２３と接続されていて、ペルチェ素子２３の電圧印加によって、針状電極２５が冷却され。さらに、ペルチェ素子２３は、放熱フィン２４とも温度伝達的に接続されており、針状電極２５の冷却と相殺される発熱を放熱フィン２４に放熱するようになっている。
【００２３】
ナノイー制御手段２２は、針状電極２５とアース電極２６間に高圧を印加させる高圧発装置２７と、針状電極２５を冷却させるペルチェ素子２３に電圧を印加する直流電源手段２８があり、針状電極２５に周辺の水分が結露する温度に制御させている。
【００２４】
この構成により、ナノイーイオン発生手段３３の高電圧（例えば略６０００Ｖ）が印加された針状電極２５は、内蔵するペルチェ素子２３のペルチェ効果によって冷却されて、空気中の水分が結露し、コロナ放電によって微粒子水で包まれたマイナスイオンの微細粒子（例えば、直径で略５〜２０ｎｍのマイナスイオンミスト）が発生するものである。
【００２５】
送風ファン３５は、ナノイーイオンを部屋中に放出し、拡散させるための気流を起こす放出手段で、室内の空気を取り入れ口３６より取り込み、ナノイーイオン発生手段３３に送風し、ナノイーイオン放出口３７よりナノイーイオンを部屋に放出する。２９は、電動送風機２の排気を排出する主排気口であり、放出されたナノイーイオンを室内に拡散させる気流を発生させる。
【００２６】
ここで、電動送風機２の収納空間２０とナノイーイオン発生手段３３の収納空間２１とを連通する連通路５０（連通穴でもよい）があり、電動送風機２の排気の一部がナノイーイオン発生手段３３を経由して、ナノイーイオン放出口３７より放出される。この連通路５０から排出される風量は、送風ファン３５から排出される風量より極めて少なく、電動送風機２からの熱を帯びた風量は、送風ファン３５からの風量で打ち消されてしまう程度である。
【００２７】
５１は、送風ファン３５による室内の空気の取り込みによって、塵埃がナノイーイオン発生手段３３の上方空間部２１に入らないようにするためのフィルターＡで、送風ファン３５の吸気側で使用者が塵埃を取り除けるように取り外しできるようになっている。５２は、連通路５０からの塵埃の侵入を防止するフィルターＢである。
【００２８】
図３は、この電気掃除機の制御ブロック図で、３１は、電動送風機２を駆動するための双方向性サイリスタなどで構成された電動送風機駆動手段であり、電動送風機２を位相制御し吸込み力を可変させる。３２は、ベルト１２を介して回転ブラシ１１を回転駆動する電動機１３を位相制御するための電動機駆動手段である。
【００２９】
３０は、マイクロコンピュータなどで構成された制御手段である。制御手段３０は、使用者が操作する操作手段６のスイッチ操作情報を取り込み、その情報をもとに、電動機駆動手段３２および電動送風機駆動手段３１へ位相制御するための点弧パルスを出力する制御を行う。４０は、ナノイー制御手段２２を動作させるナノイー駆動手段で、制御手段３０が駆動することで、ナノイー制御手段２２に電力が供給される。
【００３０】
ナノイー制御手段２２に電力が供給されると、高圧発生装置２７によって針状電極２５とアース電極２６間に高電圧を印加し、さらに電極冷却手段であるペルチェ素子２３に電圧を印加する。
【００３１】
送風ファン３５は、制御手段３０によって制御されている。４１は、電気掃除機に電力を供給する商用電源である。４２は、ナノイーイオン放出口３７の状態を検出するナノイーイオン放出口状態検出手段で、ナノイーイオン放出口３７から障害物等までの距離を検出する距離検出手段４３、ナノイーイオン放出口３７の方向を検出する方向検出手段４４、ナノイーイオン放出口３７の風量を検出する風量検出手段４５、ナノイーイオン放出口３７近傍に人がいることを検出する人体検出手段４６があり、検出信号を制御手段３０に入力することで、制御手段３０はナノイー駆動手段４０の制御を行い、ナノイーイオン放出の抑制または停止制御を行う。
【００３２】
以上のように構成された本実施の形態における電気掃除機について、以下その動作、作用を説明する。
【００３３】
使用者が、操作手段６を操作し、例えば、動作モード「中」を選択すると、制御手段３０は、操作手段６からの情報を基に、電動送風機駆動手段３１及び電動機駆動手段３２に予め定められた信号を送り、電動送風機２及び電動機１３を駆動させる。
【００３４】
そして、制御手段３０は、送風ファン３５を動作させ、送風ファン３５は、取り外し可能なフィルター５１によって塵埃が取り除かれた室内の空気を、取り入れ口３６より取り込み、ナノイーイオン発生手段３３を経由してナノイーイオン放出口３７より放出される。
【００３５】
また、電動送風機２で発生した風量の一部も、フィルターＢ５２にて塵埃が取り除かれた排気が、連通路５０からナノイーイオン発生手段３３の上方空間部２１に入り、ナノイーイオン発生手段３３を経由してナノイーイオン放出口３７より放出される。
【００３６】
次に、制御手段３０は、ナノイー駆動手段４０に信号を送り、ナノイー制御手段２２に電力が印加される。電力が印加されたナノイー制御手段２２は、高圧発生装置２７にて高圧を出力し、その高圧は、ナノイーイオン発生手段３３の針状電極２５とアース電極２６間に印加される。
【００３７】
また、直流電源手段２８にて、ペルチェ素子２３に電圧を出力して、針状電極２５を冷却させる。針状電極２５が冷却されると周辺の水分が結露して、針状電極２５に水が生成され、さらに、その水に高電圧が印加されると、微粒子水で包まれたマイナスイオンの微細粒子（例えば直径で略５〜２０ｎｍ）であるナノメータサイズのマイナスイオンミストを生成する。
【００３８】
発生したナノイーイオンは送風ファン３５や、電動送風機２の排気の一部の風量によってナノイーイオン放出口３７より排出される。
【００３９】
ナノイーイオン放出口３７から放出されたナノイーイオンは、送風ファン３５の送風と電動送風機２の排気によって室内に拡散される。ナノメータサイズのマイナスイオンミストは、マイナスイオン単独で存在する場合より空気中に長時間（マイナスイオンの約６倍の寿命で）存在することが可能であり、且つ、ナノメータサイズと非常に小さいので、空気中に長時間浮遊できると共に、拡散性が高いので、室内に満遍なく浮遊する。
【００４０】
そして、マイナスイオンミストは、室内に浮遊する微細な塵埃に付着帯電して、塵埃を床面に早く落下させることができる。  落下したナノイーイオンの付着帯電した塵埃は、吸込み具１０で吸引され、延長管９、ホース８を通過した後、エレクトレット加工された集塵袋３で捕集される。
【００４１】
また、ナノメータサイズのナノイーイオンは、反応性が高く、臭い成分に作用して無臭成分に分解する能力を持つことが知られており、室内のカーテンや浮遊塵埃等の脱臭の効果が得られると共に、室内に浮遊または付着しているアレルゲン、ウイルス等の不活化やカビ、細菌等の殺菌に対しても高い効果も得られる。
【００４２】
ここで、従来の電気掃除機と本実施の形態における電気掃除機を用いて、空気清浄機の規格ＪＥＭ１４６７の試験法に準じて試験を行なった結果を示す。試験は、２０〜３０ｍ３の測定室内でタバコ吸煙機（図示せず）でタバコ５本を発煙させ、タバコ吸煙機と同程度の撹拌ファン（図示せず）を運転させながら濃度分布を一定にする。その後、電気掃除機を運転させながら、粒子径０．３μｍのタバコの煙の減衰率を時間毎に測定するものである。
【００４３】
図５が、この試験結果をグラフにして示したもので、運転時間５分後の比較では、本実施の形態における電気掃除機の除去率が、従来の電気掃除機より約２０％良いという結果が得られた。これは、従来の電気掃除機に比べ、タバコの煙をより早く床面に沈降させて、集塵していることが、グラフより読み取れる。
【００４４】
今回用いたタバコの煙も浮遊塵埃のひとつであるが、浮遊塵埃としては、様々な粒子径の物が存在し、最大では、約１μｍの大きさの物まで存在する。また、沈降性塵埃でも花粉等は、数十μｍの粒子径で、浮遊している時間も長い。浮遊している粒子径の大きなものほど、より多くのマイナスイオンミストが付着帯電できるので、床面へのより早い沈降が期待できるものである。
【００４５】
掃除が終了して使用者が、操作手段６の「切」を選択すると、制御手段３０は、ナノイー駆動手段４０に停止信号を送り、ナノイーイオンの発生を停止した後、送風ファン３５と電動送風機駆動手段３１及び電動機駆動手段３２に停止信号を送り、送風ファン３５、電動送風機２及び電動機１３を停止させる。
【００４６】
ここで、室内に浮遊または付着しているアレルゲン、ウイルス等の不活化やカビ、細菌等の殺菌に対してのさらなる効果を得るために、停止操作時に、電動送風機２と電動機１３を停止させるが、ナノイーイオンの発生と送風ファン３５は停止させずに、一定時間経過後に停止させればよいことは言うまでもない。
【００４７】
次にナノイーイオン発生時において、ナノイーイオン放出口３７の状態が変わったときの動作について説明する。
【００４８】
狭い空間の掃除を行う際や、掃除移動中に、ナノイーイオン放出口３７が壁に近接したり、人が近づいてきてナノイーイオン放出口３７に人が近接された場合は、ナノイーイオン放出口３７近傍に固定されている距離検出手段４３によって、一定の距離以下に近接されていることを検出して、制御手段３０は、ナノイーイオンの発生を停止し、報知手段４７によって使用者にその旨の報知を行う。
【００４９】
そして、掃除場所を移動し、ナノイーイオン放出口３７に近接しているものがなくなれば、制御手段３０はナノイーイオンを再度発生させる。
【００５０】
また、電気掃除機本体１が収納状態のように立てられて、ナノイーイオン放出口３７が床面を向いている場合は、電気掃除機本体１内に固定されている方向検出手段４４によって、ナノイーイオン放出口３７が床面に向いていることを検出して、制御手段３０は、ナノイーイオンの発生を停止させ、報知手段４７で使用者に報知を行う。
【００５１】
また、ナノイーイオン放出口３７からの排気風量を、風量検出手段４５によって検出して、塵埃や、誤ってナノイーイオン放出口３７が塞がれたことを検出してナノイーイオンの発生を停止させることもできる。
【００５２】
さらに人体検出手段４６を用いて、マイナスイオン放出口３７の近傍に人がいることを検出したときに、ナノイーイオンの発生を停止させることもできる。
【００５３】
以上のように、本実施の形態によれば、電動送風機２の収納空間２０とナノイーイオン発生手段３３の上方空間部２１を分離し、送風ファン３５と、送風ファン３５の風量よりも極めて小さい電動送風機２からの風量が得られる連通路５０を設けることで、ナノイーイオン発生手段３３の空間の温度を上げることがなく、塵埃に微粒子水の質量を付加して、塵埃の床面への落下を早くし、掃除中の吸込み具１０から吸い取ることができる塵埃の
捕集率を向上させるナノイーイオンを安定して排出することができる。
【００５４】
また、ナノイーイオン放出口３７近傍に障害物等があり、オゾンが拡散しにくい限られた空間や掃除状態では、ナノイーイオン放出を停止するため、オゾン濃度の上昇を抑制し、使用者に不快感を与えないようにすることができる。
【００５５】
また、ナノイーイオン放出口３７近傍に人がいるときにも、ナノイーイオンの放出を停止するため、空間に拡散する前のオゾンを人が直接吸い込むことがなく、使用者に不快感を与えないようにすることができる。
【００５６】
さらに、ナノイーイオン放出口３７が床面や壁などで塞がれたときにも、ナノイーイオンの放出を停止するため、ナノイーイオン発生手段３３がある空間のオゾン濃度の上昇を抑制して、オゾンによる樹脂等の劣化を抑制することができる。
【００５７】
また、ナノメータサイズのマイナスイオンミストをイオンのように、電動送風機２の排気で放出すると、電動送風機２の熱によって、ミストが消滅し効果が得られなくなってしまうが、本実施の形態では、送風ファン３５で外気を取り込み、熱のない空気でマイナスイオンミストを排出するようにしているので、安定してマイナスイオンミストの効果を得ることができる。
【００５８】
さらに、ナノイーイオン放出口３７近傍に、障害物等があったり、人がいる場合には、ナノイーイオン発生手段３３で発生したオゾンが拡散できず、限られた空間で、オゾン濃度が濃くなり、樹脂の劣化を加速させたり、人がナノイーイオン放出口３７近傍にいると、空間に拡散される前のオゾンを直接吸い込んだりする可能性がある。拡散される前の濃度が濃いオゾンを直接吸い込むと呼吸器系統、眼、粘膜等に刺激を与えたりする。
【００５９】
さらに排気圧損が大きいため、放熱フィン２４の冷却効果が少なくなり、放熱フィン２４が高温状態となり、使用者に不安感を与える可能性がある。しかしながら本実施の形態では、ナノイーイオン放出口３７の状態に応じて、マイナスイオンミストの放出を抑制または停止するようにしているので、限られた空間のオゾン濃度上昇の抑制と、人が直接拡散前のオゾンを吸い込むことを抑制し、使用者に不快感を与えることない電気掃除機を提供することができるのである。
【産業上の利用可能性】
【００６０】
以上のように、本発明にかかる電気掃除機は、簡便な手段により空気清浄効果の優れたもので、各種家庭用、業務用電気掃除機等に広く適用できる。
【符号の説明】
【００６１】
２  電動送風機
２２  ナノイー制御手段
２３  ペルチェ素子（電極冷却手段）
２４  放熱フィン
２５  針状電極（電極）
２６  アース電極（電極）
３３  ナノイーイオン発生手段
３５  送風ファン
４２  ナノイーイオン放出口状態検出手段
４３  距離検出手段
４４  方向検出手段
４５  風量検出手段
４６  人体検出手段
４７  報知手段
５０  連通路
【図１】
2011167278.tif 000003
【図２】
2011167278.tif 000004
【図３】
2011167278.tif 000005
【図４】
2011167278.tif 000006
【図５】
2011167278.tif 000007